(57)【要約】【課題】有価媒体の処理を行う有価媒体処理装置において、操作者がエラーの解除操作を適切に行うようにする。【解決手段】有価媒体処理装置（貨幣処理装置１）は、有価媒体の処理を行う処理部（紙幣処理機１０、硬貨処理機１１０）と、有価媒体の処理中に、エラーが発生したことを検知するエラー検知部（センサ３０９）と、エラーを解除するための手順を記憶している記憶部（エラー解除データベース３１１）と、検知部が検知したエラーの解除操作を操作者が行っているときに、記憶部が記憶している手順とは異なる誤操作が行われたことを検知する誤操作検知部（センサ３０９）と、誤操作検知部が誤操作を検知したことを受けて、誤操作があったことを、出力部（操作表示部３０２、警告部３０８、通信インターフェース部３０６）を通じて出力する制御部（エラー解除制御部３０１）と、を備えている。【選択図】図３
2018116327.tif 000002
【特許請求の範囲】
【請求項１】
有価媒体の処理を行う処理部と、
前記有価媒体の処理中に、エラーが発生したことを検知するエラー検知部と、
前記エラーを解除するための手順を記憶している記憶部と、
前記エラー検知部が検知したエラーの解除操作を操作者が行っているときに、前記記憶部が記憶している手順とは異なる誤操作が行われたことを検知する誤操作検知部と、
前記誤操作検知部が誤操作を検知したことを受けて、誤操作があったことを、出力部を通じて出力する制御部と、を備えている有価媒体処理装置。
【請求項２】
前記エラー検知部は、複数種類のエラーを検知し、
前記記憶部は、前記エラー検知部が検知する複数種類のエラーそれぞれについて、解除のための手順を記憶している請求項１に記載の有価媒体処理装置。
【請求項３】
前記出力部は、誤操作があったことを表示する表示部である請求項１又は２に記載の有価媒体処理装置。
【請求項４】
前記表示部は、前記記憶部が記憶しているエラー解除の手順に係る案内画面を表示する請求項３に記載の有価媒体処理装置。
【請求項５】
前記出力部は、誤操作があったときに音を発する請求項１〜４のいずれか１項に記載の有価媒体処理装置。
【請求項６】
前記出力部は、誤操作があったときに外部装置に通知する請求項１〜５のいずれか１項に記載の有価媒体処理装置。
【請求項７】
前記制御部は、前記誤操作の状態から復旧したことを前記誤操作検知部が検知したときには、前記操作者が前記エラーの解除操作を行うことを許容する請求項１〜６のいずれか１項に記載の有価媒体処理装置。
【請求項８】
前記制御部は、前記誤操作検知部が誤操作を検知した後、前記操作者が前記エラーの解除操作を行うことを禁止する請求項１〜７のいずれか１項に記載の有価媒体処理装置。
【請求項９】
前記記憶部は、前記誤操作検知部が誤操作を検知したときに、当該誤操作の情報を記憶する請求項１〜８のいずれか１項に記載の有価媒体処理装置。
【請求項１０】
前記記憶部は、前記誤操作の情報を、前記エラーの解除操作を行っている操作者の情報と紐付けて記憶する請求項９に記載の有価媒体処理装置。
【請求項１１】
前記制御部は、前記エラーの解除操作を行う操作者に応じて、前記出力部を通じた出力態様を変更する請求項１〜１０のいずれか１項に記載の有価媒体処理装置。
【請求項１２】
前記制御部は、前記有価媒体処理装置の設置環境に応じて、前記出力部を通じた出力態様を変更する請求項１〜１１のいずれか１項に記載の有価媒体処理装置。
【請求項１３】
前記誤操作検知部が検知する誤操作について誤操作の内容に応じたレベルが予め設定されており、
前記制御部は、前記誤操作のレベルに応じて、前記出力部を通じた出力態様を変更する請求項１〜１２のいずれか１項に記載の有価媒体処理装置。
【請求項１４】
前記制御部は、前記誤操作検知部が誤操作を検知したときには、前記エラーが解除された後に、前記有価媒体を収納する収納部の精査処理への誘導処理を実行する請求項１〜１３のいずれか１項に記載の有価媒体処理装置。
【請求項１５】
有価媒体の処理を行う有価媒体処理装置と、
前記有価媒体処理装置と通信を行う外部装置と、を備え、
前記有価媒体処理装置は、
前記有価媒体の処理中に、エラーが発生したことを検知するエラー検知部と、
前記エラーを解除するための手順を記憶している記憶部と、
前記エラー検知部が検知したエラーの解除操作を操作者が行っているときに、前記記憶部が記憶している手順とは異なる操作が行われたことを検知する誤操作検知部と、
前記誤操作検知部が誤操作を検知したことを受けて、誤操作があったことを、前記外部装置に送信する通信部と、を有している有価媒体処理システム。
【請求項１６】
有価媒体処理装置が有価媒体を処理している最中に、エラーが発生したことを検知する工程と、
操作者が前記エラーの解除操作を行っているときに、予め定めているエラー解除の手順とは異なる誤操作が行われたことを検知する工程と、
前記誤操作を検知したときに、誤操作があったことを出力する工程と、を備えている有価媒体処理装置のエラー解除監視方法。
【発明の詳細な説明】
【技術分野】
【０００１】
ここに開示する技術は、有価媒体処理装置、有価媒体処理システム、及び、有価媒体処理装置のエラー解除監視方法に関する。
【背景技術】
【０００２】
特許文献１には、現金の処理を行う現金処理装置において、紙幣ジャム等の障害が発生したときに、障害復旧操作のための誘導画面を、操作の進行に合わせて、操作卓に、順次表示する技術が記載されている。操作者が、操作卓に表示される画面に従って障害復旧操作を行うことによって、現金処理装置は、障害から復旧することができる。
【先行技術文献】
【特許文献】
【０００３】
【特許文献１】特許第４４７５９７２号公報
【発明の概要】
【発明が解決しようとする課題】
【０００４】
ところが、操作卓に表示される誘導画面を見ないで、操作者が障害復旧操作を行ったり、操作者が誘導画面の内容を勘違いしたりすることにより、誤った障害復旧操作が行われる場合がある。特許文献１に記載の現金処理装置は、誘導画面に従って操作がされたことをスイッチ等により検知することによって、次の誘導画面を操作卓に表示するが、誤った障害復旧操作が行われると、誘導画面は切り替わらない。しかしながら、操作者が誘導画面を見ていないときには、誘導画面の切り替わらないことにも気づかない。
【０００５】
誤った障害復旧操作を行いながら障害復旧操作を進めてしまうと、障害から復旧することができなくなる。そればかりか、新たな障害を招く恐れもある。
【０００６】
さらに、本来は開ける必要がない紙幣収納庫を誤って開けてしまい、現金処理装置の在高異常の原因となってしまうこともある。
【０００７】
ここに開示する技術はかかる点に鑑みてなされたものであり、その目的とするところは、有価媒体の処理を行う有価媒体処理装置において、操作者がエラーの解除操作を適切に行うことができるようにすることにある。
【課題を解決するための手段】
【０００８】
ここに開示する技術は、有価媒体処理装置に係る。この装置は、有価媒体の処理を行う処理部と、前記有価媒体の処理中に、エラーが発生したことを検知するエラー検知部と、前記エラーを解除するための手順を記憶している記憶部と、前記エラー検知部が検知したエラーの解除操作を操作者が行っているときに、前記記憶部が記憶している手順とは異なる誤操作が行われたことを検知する誤操作検知部と、前記誤操作検知部が誤操作を検知したことを受けて、誤操作があったことを、出力部を通じて出力する制御部と、を備えている。
【０００９】
ここで、「有価媒体」は、紙幣及び硬貨を含む貨幣の他に、小切手や手形、及び、商品券等の媒体を含む。
【００１０】
この構成によると、有価媒体の処理中にエラーが発生したときには、エラー検知部が、エラーが発生したことを検知する。操作者は、エラーの解除操作を行うことによって、エラーを解除する。例えば有価媒体の詰まりを解除する場合、操作者は、有価媒体処理装置における所定の部位を開けたり、所定の部位を移動したりする操作を、順次行うと共に、詰まっている有価媒体を、手で取り除く。その後、操作者が、有価媒体処理装置の各部位を元に戻すことにより、エラーの解除操作が完了し、有価媒体処理装置は、再び動作が可能になる。
【００１１】
前記の構成では、エラーを解除するための手順とは異なる誤操作が行われたことを、誤操作検知部が検知したときに、制御部は、誤操作があったこと出力部を通じて出力する。このことにより、操作者は、誤操作をしたことがわかる。操作者が、誤操作に気づかずに、エラーの解除操作を進めてしまうことが防止される。その結果、操作者は、エラーの解除操作を適切に行うことができるようになる。
【００１２】
前記エラー検知部は、複数種類のエラーを検知し、前記記憶部は、前記エラー検知部が検知する複数種類のエラーそれぞれについて、解除のための手順を記憶している、としてもよい。
【００１３】
こうすることで、エラーの解除操作を行う操作者は、有価媒体処理装置において発生し得る複数種類のエラーそれぞれの解除操作を適切に行うことができる。
【００１４】
前記出力部は、誤操作があったことを表示する表示部である、としてもよい。操作者は、表示部を見ることによって、誤操作をしたことを認識することができる。
【００１５】
前記表示部は、前記記憶部が記憶しているエラー解除の手順に係る案内画面を表示する、としてもよい。
【００１６】
操作者が、案内画面を見ながらエラー解除の操作を行っている場合、誤操作があれば、誤操作があったことが表示部に表示されるため、操作者は、誤操作をしたことに、確実に気づくことができる。
【００１７】
前記出力部は、誤操作があったときに音を発する、としてもよい。こうすることで、操作者は、エラーの解除操作を行いながら、誤操作をしたことが確実にわかる。
【００１８】
前記出力部は、誤操作があったときに外部装置に通知する、としてもよい。外部装置は、例えば、スマートフォンやタブレット端末等の携帯端末としてもよいし、ＰＣ等の端末としてもよい。これらの端末は、エラーの解除操作を行っている操作者が使用する端末であってもよいし、エラーの解除操作を行っている操作者以外の者が使用する使用する端末であってもよい。
【００１９】
前記の構成により、操作者は、外部装置を通じて、誤操作をしたことを認識することができる。操作者は、不適切なエラーの解除操作を進めてしまうことを回避することができる。
【００２０】
前記制御部は、前記誤操作の状態から復旧したことを前記誤操作検知部が検知したときには、前記操作者が前記エラーの解除操作を行うことを許容する、としてもよい。
【００２１】
誤操作の状態から復旧することによって、エラーの解除操作を進めることが可能になったときには、操作者がエラーの解除操作を行うことによって、有価媒体処理装置のエラーを、速やかに解除することができる。
【００２２】
前記制御部は、前記誤操作検知部が誤操作を検知した後、前記操作者が前記エラーの解除操作を行うことを禁止する、としてもよい。
【００２３】
誤操作の内容によっては、仮に誤操作の状態から復旧することができたとしても、操作者がそのままエラーの解除操作を行うことが適切でないこともある。例えば、紙幣等を収納する収納部を、誤って開けてしまったときには、在高異常になる可能性があるため、収納部を、そのまま閉めることができるとしても、操作者が、エラーの解除操作を進めることは適切でない。操作者がエラーの解除操作を行うことを禁止することによって、有価媒体処理装置を、適切に運用することができる。
【００２４】
前記記憶部は、前記誤操作検知部が誤操作を検知したときに、当該誤操作の情報を記憶する、としてもよい。
【００２５】
こうすることで、記憶している誤操作の情報を、後で解析することができるようになる。解析の結果、発生頻度が高い誤操作に対して、対策を施すことが可能になる。例えば案内画面の内容を修正することによって、誤操作を招かないようにすることができる。
【００２６】
前記記憶部は、前記誤操作の情報を、前記エラーの解除操作を行っている操作者の情報と紐付けて記憶する、としてもよい。
【００２７】
こうすることで、例えば誤操作の多い操作者を特定することが可能になる。管理者は、当該操作者が誤操作をしないように指導等を行うことが可能になる。
【００２８】
前記制御部は、前記エラーの解除操作を行う操作者に応じて、前記出力部を通じた出力態様を変更する、としてもよい。
【００２９】
例えば経験の浅い操作者（初心者）に対しては、軽微な誤操作であっても、誤操作があったことを、出力部を通じて出力する。こうすることで、経験の浅い操作者が重大な誤操作をしてしまうことを未然に回避することができる。経験の浅い操作者は、エラーの解除操作を適切に進めることが可能になる。
【００３０】
これに対し、経験が豊富な操作者（熟練者）に対しては、軽微な誤操作は、自らが直ぐに気づいて復旧可能と考えられるため、当該誤操作があったことは、出力部を通じて出力せず、重大な誤操作（例えば、有価媒体処理装置の在高異常を招く誤操作や、有価媒体処理装置の破損を招く誤操作等）があったときに限り、誤操作があったことを、出力部を通じて出力する。こうすることで、経験が豊富な操作者は、エラーの解除操作をスムースに進めることができると共に、適切にエラーの解除操作を行うことができる。
【００３１】
このようにエラーの解除操作を行う操作者に応じて出力態様を変更すれば、エラーの解除操作を適切に行うことができると共に、有価媒体処理装置の使い勝手が向上する。尚、エラーの解除操作を行う操作者は、有価媒体処理装置において認証処理を行うことによって特定することができる。
【００３２】
ここで、出力態様を変更することには、前述の通り、出力を行うこと、出力を行わないことの変更の他にも、（１）表示内容を変更すること、（２）表示タイミングを変更すること、（３）警告音を変更すること、（４）警告音を発するタイミングを変更すること、（５）外部装置に通知する内容を変更すること、（６）外部装置に通知するタイミングを変更すること、（７）通知をする外部装置を変更すること等が含まれる。また、出力部が、表示、音、及び、通知といった複数の手段を有する構成において、出力する手段の組み合わせを変更すること（例えば、表示のみ、表示と音、及び、表示と音と通知、を切り替えること）も出力態様を変更することの１つである。
【００３３】
前記制御部は、前記有価媒体処理装置の設置環境に応じて、前記出力部を通じた出力態様を変更する、としてもよい。
【００３４】
有価媒体処理装置の１つとしてのＡＴＭ（Automatic Teller Machine）や、オートキャッシャーは、金融機関の店舗において、一般客が近くにいるところに設置される。誤操作があったときに出力部が音（警告音）を発すると、一般客が不安を感じたり、不快に感じたりする恐れがある。そこで、例えば、有価媒体処理装置が、一般客が近くにいるところに設置されると、出力部は音を発せずに、表示のみを行うようにする一方、有価媒体処理装置が、一般客が近くに居ないところに設置されると、出力部は音を発すると共に、表示を行うようにする、としてもよい。尚、出力態様の変更は、前述した様々な態様を含む。
【００３５】
このように有価媒体処理装置の設置場所に応じて出力態様を変更すれば、エラーの解除操作を適切に行うことができると共に、有価媒体処理装置の使い勝手が向上する。
【００３６】
前記誤操作検知部が検知する誤操作について誤操作の内容に応じたレベルが予め設定されており、前記制御部は、前記誤操作のレベルに応じて、前記出力部を通じた出力態様を変更する、としてもよい。
【００３７】
例えば、軽微な誤操作があったときには、出力部は音を発せずに、表示のみを行うようにする一方、重大な誤操作があったときには、出力部は音を発すると共に、表示を行うようにする、としてもよい。尚、出力態様の変更は、前述した様々な態様を含む。
【００３８】
このように誤操作のレベルに応じて出力態様を変更すれば、不適切なエラーの解除操作が進行してしまうことを確実に防止することができ、エラーの解除操作を適切に行うことができると共に、有価媒体処理装置の使い勝手が向上する。
【００３９】
前記制御部は、前記誤操作検知部が誤操作を検知したときには、前記エラーが解除された後に、前記有価媒体を収納する収納部の精査処理への誘導処理を実行する、としてもよい。
【００４０】
前述したように、誤操作によって、収納部の在高異常が発生する恐れがあるときには、収納部の在高を確定するための精査処理を行われなければならない。制御部が、精査処理への誘導処理を実行すれば、エラーが解除された後に、有価媒体処理装置は、精査処理にスムースに移行をすることができる。誘導処理としては、具体的には、有価媒体処理装置の表示部に、精査処理を開始するためのアイコンを表示したり、ポップアップ画面を表示したりしてもよい。また、エラーが解除された後、対象となる収納部の精査処理を自動的に開始してもよい。
【００４１】
ここに開示する有価媒体処理システムは、有価媒体の処理を行う有価媒体処理装置と、  前記有価媒体処理装置と通信を行う外部装置と、を備え、前記有価媒体処理装置は、前記有価媒体の処理中に、エラーが発生したことを検知するエラー検知部と、前記エラーを解除するための手順を記憶している記憶部と、前記エラー検知部が検知したエラーの解除操作を操作者が行っているときに、前記記憶部が記憶している手順とは異なる操作が行われたことを検知する誤操作検知部と、前記誤操作検知部が誤操作を検知したことを受けて、誤操作があったことを、前記外部装置に送信する通信部と、を有している。
【００４２】
この構成によると、エラーの解除操作を行っているときに誤操作があれば、誤操作があったことが外部装置に送信されるから、操作者は、誤操作をしたことがわかる。操作者は、エラーの解除操作を適切に行うことができるようになる。
【００４３】
ここに開示する有価媒体処理装置のエラー解除監視方法は、有価媒体処理装置が有価媒体を処理している最中に、エラーが発生したことを検知する工程と、操作者が前記エラーの解除操作を行っているときに、予め定めているエラー解除の手順とは異なる誤操作が行われたことを検知する工程と、前記誤操作を検知したときに、誤操作があったことを出力する工程と、を備えている。
【００４４】
この方法によると、エラーの解除操作を行っている操作者は、誤操作をしたことがわかり、操作者は、エラーの解除操作を適切に行うことができるようになる。
【発明の効果】
【００４５】
以上説明したように、前記の有価媒体処理装置、有価媒体処理システム、及び、有価媒体処理装置のエラー解除監視方法によると、操作者は、エラーの解除操作を適切に行うことができる。
【図面の簡単な説明】
【００４６】
【図１】図１は、貨幣処理システムの全体構成を例示する図である。
【図２】図２は、紙幣処理機の内部構成を例示する図である。
【図３】図３は、貨幣処理装置の構成例を示すブロック図である。
【図４】図４は、エラー解除データベースの構成を例示する図である。
【図５】図５は、エラー解除に係る制御手順を例示するフローチャートである。
【図６】図６は、帯封処理中に帯封部においてジャムが発生したときの、正しい解除手順と、誤った解除手順の例とを示すフローチャートである。
【図７】図７は、出金処理中に収納部においてジャムが発生したときの、正しい解除手順と、誤った解除手順の例とを示すフローチャートである。
【図８】図８は、エラー解除時に表示される案内画面の一例である。
【図９】図９は、エラー解除時に表示される案内画面の一例である。
【図１０】図１０は、エラー解除時に表示される案内画面の一例である。
【図１１】図１１は、エラー解除時に誤操作があったときに表示される警告画面の一例である。
【図１２】図１２は、エラー解除時に表示される案内画面の一例である。
【図１３】図１３は、エラー解除時に誤操作があったときに表示される警告画面の一例である。
【図１４】図１４は、精査処理の実行を促す誘導画面の一例である。
【図１５】図１５は、ＰＯＳシステムの全体構成を例示する図である。
【発明を実施するための形態】
【００４７】
以下、有価媒体処理装置、有価媒体処理システム、及び、有価媒体処理装置のエラー解除監視方法の実施形態を図面に基づいて詳細に説明する。以下の説明は、有価媒体処理装置、有価媒体処理システム、及び、有価媒体処理装置のエラー解除監視方法の一例である。図１は、有価媒体処理システムとしての、貨幣処理システム１００の全体構成例を示している。貨幣処理システム１００は、例えば銀行等の金融機関に構築される。貨幣処理システム１００は、貨幣処理装置１を備えている。貨幣処理装置１は、金融機関における出納機として設定されている。尚、貨幣処理システム１００は、金融機関に構築されることには限定されない。また、貨幣処理装置１も、金融機関の出納機として設定されることには限定されない。
【００４８】
（貨幣処理装置の構成）
図１は貨幣処理装置１の外観を示している。貨幣処理装置１は、紙幣処理機１０及び硬貨処理機１１０が左右に並ぶよう配置されることにより構成されている。紙幣処理機１０は、バラ紙幣の入出金処理を実行可能である。また、紙幣処理機１０は、帯封紙幣（紙幣束ともいう）の作成や、帯封紙幣の出金処理を実行可能である。帯封紙幣は、所定枚数（例えば１００枚）のバラ紙幣から作成される。硬貨処理機１１０は、バラ硬貨の入出金処理を実行可能である。硬貨処理機１１０はまた、包装硬貨の作成や、包装硬貨の出金処理を実行可能である。包装硬貨は、所定枚数（例えば５０枚）のバラ硬貨に紙やフィルム等の包装媒体を巻くことによって作成される。紙幣処理機１０及び硬貨処理機１１０は、有価媒体の処理を行う処理部を構成している。
【００４９】
操作表示部３０２は、例えば硬貨処理機１１０の筐体１１２の上部に設けられたタッチパネル等からなる。操作表示部３０２は、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。後述するように、操作表示部３０２は、エラーの解除操作を行うときに、エラー解除の手順を示す案内画面を表示すると共に、誤操作があったときには、警告画面を表示する。操作表示部３０２は、表示部の一例である。
【００５０】
印字部３０４は、貨幣処理装置１における紙幣や硬貨の処理状況や、貨幣処理装置１に収納されている紙幣や硬貨の在高等の情報をレシート等に印刷するプリンタ等から構成されている。
【００５１】
図２は紙幣処理機１０の内部構成を概略的に示す構成図である。図２において、左側が紙幣処理機１０の前面側であり、左右方向が紙幣処理機１０の奥行き方向である。図１及び図２を用いて、紙幣処理機１０の構成について説明する。なお、硬貨処理機１１０に関しては、その構成の詳細については説明を省略する。
【００５２】
図１及び図２に示すように、紙幣処理機１０は略直方体形状の筐体１２を有しており、この筐体１２の前面には、バラ紙幣を入金するための投入部１４、バラ紙幣を出金するためのバラ紙幣投出部２４、及び、帯封紙幣を出金するための帯封紙幣投出部４８がそれぞれ設けられている。投入部１４の前面は筐体１２の外部に開口しており、操作者は投入部１４の内部にバラ紙幣の束を投入することができる。一方、バラ紙幣投出部２４及び帯封紙幣投出部４８にはそれぞれシャッター２４ａ，４８ａが設けられている。シャッター２４ａ，４８ａは後述するシャッター駆動部２４ｂ，４８ｂ（図３参照）によりそれぞれ駆動される。シャッター２４ａ，４８ａによりバラ紙幣投出部２４や帯封紙幣投出部４８が開口されると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００５３】
また、バラ紙幣投出部２４の下方には、バラ紙幣の出金処理において、バラ紙幣投出部２４から出金すべきではないと判断されたバラ紙幣が集積される出金リジェクト部２６が設けられている。通常、出金リジェクト部２６の前カバーが閉鎖されており、出金リジェクト部２６の内部にアクセスすることができない。所定の権限を有する操作者が操作することによって前カバーが開放され、内部の出金リジェクト紙幣を回収可能となる。
【００５４】
図２に示すように、投入部１４には、投入されたバラ紙幣を１枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられており、識別部２０により識別されたバラ紙幣は表裏反転部２２によりその表裏が揃うように反転させられる。
【００５５】
搬送部１８には、入金一時保留部３０、混合バラ紙幣収納部３２及び複数（図２では３つ）の金種別バラ紙幣収納部３４がそれぞれ接続されている。入金一時保留部３０、混合バラ紙幣収納部３２及び各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００５６】
入金一時保留部３０の上端部の近傍には紙幣繰出部３０ｂが設けられており、バラ紙幣は紙幣繰出部３０ｂにより、入金一時保留部３０から１枚ずつ搬送部１８に繰り出され、また、搬送部１８から入金一時保留部３０に１枚ずつ繰り入れられる。混合バラ紙幣収納部３２の上端部の近傍には紙幣繰入部３２ｂが設けられており、バラ紙幣は紙幣繰入部３２ｂにより、搬送部１８から混合バラ紙幣収納部３２に１枚ずつ繰り入れられる。なお、本実施形態では、混合バラ紙幣収納部３２に収納されているバラ紙幣は搬送部１８に繰り出せない。各金種別バラ紙幣収納部３４の上端部の近傍にはそれぞれ紙幣繰出部３４ｂが設けられており、バラ紙幣は紙幣繰出部３４ｂにより、各金種別バラ紙幣収納部３４から１枚ずつ搬送部１８に繰り出され、また、搬送部１８から各金種別バラ紙幣収納部３４に１枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。
【００５７】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２及び各金種別バラ紙幣収納部３４は、手前側に（図２における左方向に）引き出し可能となっている引出ユニット１３に収容されている。操作者は、下部扉１２ａを開いて引出ユニット１３を手前側に引き出し、混合バラ紙幣収納部３２や各金種別バラ紙幣収納部３４を引出ユニット１３から取り外したり、引出ユニット１３に装着したりできる。
【００５８】
また、搬送部１８には複数（図２では２つ）の集積部４０が接続されており、搬送部１８から送られたバラ紙幣は、集積部４０に積層状態で集積される。集積部４０には、集積されているバラ紙幣を搬送部１８に１枚ずつ繰り出す繰出部が設けられていてもよい。また、所定枚数（例えば１００枚）のバラ紙幣からなる紙幣束に帯封紙を巻くことにより帯封紙幣を作成する帯封部４２が、集積部４０の隣に設けられている。帯封部４２の近傍にはアーム機構４４が設けられている。アーム機構４４は、集積部４０、帯封部４２及び帯封紙幣揚送部４６の間で移動可能となっている。帯封紙幣揚送部４６には、図２における上下方向に移動可能となっているステージ４６ａが設けられている。帯封部４２及びアーム機構４４によって、紙幣結束機構が構成されている。
【００５９】
帯封処理が行われる際に、アーム機構４４は、集積部４０に集積された所定枚数のバラ紙幣を上下一対のアーム部により保持して、帯封部４２に移動する。帯封部４２において、アーム機構４４に保持された所定枚数のバラ紙幣の外周面に帯封紙が巻かれる。帯封処理が行われた後、アーム機構４４は帯封部４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【００６０】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を帯封紙幣搬送部６０に受け渡して、帯封紙幣搬送部６０から帯封紙幣をステージ４６ａ上に集積させることができる。
【００６１】
筐体１２の内部における上部領域には、複数（図２では４つ）の帯封紙幣収納部７０が設けられている。各帯封紙幣収納部７０の内部にはそれぞれ、上下方向に移動可能であるステージ７０ａが設けられている。帯封部４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも１つは、金種が異なる帯封紙幣を混合状態で収納するようにしてもよい。
【００６２】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向及び反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図２の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【００６３】
ここで、帯封部４２により作成された帯封紙幣を各帯封紙幣収納部７０に収納させる際には、帯封紙幣は、アーム機構４４から帯封紙幣揚送部４６のステージ４６ａ上に受け渡された後に、ステージ４６ａの上昇によって帯封紙幣搬送部６０の近傍の位置まで達する。循環ベルト６０ｂは反時計回りの方向に循環移動する。これにより、ステージ４６ａ上の最上位の帯封紙幣は突起６０ａに引っ掛けられて、循環ベルト６０ｂの下面に沿って右方向に搬送され、識別部６２によりその金種が判別された後、識別部６２による識別結果に基づいて、対応する帯封紙幣収納部７０に収納される。
【００６４】
一方、帯封紙幣収納部７０に収納されている帯封紙幣を出金する際には、循環ベルト６０ｂは時計回りの方向に循環移動する。帯封紙幣収納部７０から上方に押し出された最上位の帯封紙幣が突起６０ａにより引っ掛けられて循環ベルト６０ｂの下面に沿って左方向に搬送される。また、ステージ４６ａが上昇して帯封紙幣搬送部６０の近傍の位置まで達する。そして、搬送される帯封紙幣は、その金種が識別部６２により識別された後、上方位置で待機していたステージ４６ａ上、又は、ステージ４６ａの上に集積済みの帯封紙幣の上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定数の帯封紙幣が集積されると、当該ステージ４６ａが帯封紙幣投出部４８の下端と同じレベルまで下降し、シャッター４８ａが開く。これにより、操作者は帯封紙幣投出部４８から帯封紙幣を取り出すことができる。
【００６５】
図３は貨幣処理装置１の機能構成の概略を示すブロック図である。図３に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出部３４ｂ）、帯封部４２、アーム機構４４、帯封紙幣揚送部４６、帯封紙幣搬送部６０、識別部６２、帯封紙幣収納部７０（ステージ７０ａの駆動機構）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報や識別部６２による帯封紙幣の金種の判別結果に係る情報等を受け、また、紙幣処理機１０の各構成要素に指令信号を送ることによりその動作を制御する。
【００６６】
また、制御部３００には、硬貨処理機１１０の各構成要素が接続されており、硬貨処理機１１０の動作を制御する。さらに、制御部３００には、操作表示部３０２、印字部３０４、記憶部３１０及び通信インターフェース部３０６がそれぞれ接続されている。
【００６７】
記憶部３１０は、貨幣処理装置１における処理履歴や、貨幣処理装置１に収納されている紙幣や硬貨の在高等の情報を記憶する。また、記憶部３１０は、後述するエラー解除の操作に関する情報であるエラー解除データベース３１１と、エラー解除の操作中に誤操作があった場合の警告に関する警告設定情報３１２と、を格納している。
【００６８】
また、制御部３００は、通信インターフェース部３０６を介して、上位端末である管理コンピュータ４００（図１参照）に対して様々な信号の送受信を行うことができる。通信インターフェース部３０６は、通信部の一例である。
【００６９】
貨幣処理装置１はまた、操作者を認証する処理を行う認証部３０７を備えており、認証部３０７も、制御部３００に接続されている。認証部３０７は、例えばＩＤとパスワードの入力による認証、ＩＤカードを利用した認証、及び、生体認証等、どのような方式の認証を採用してもよい。認証部３０７が操作者を認証することによって、貨幣処理装置１を操作する操作者を特定することができる。
【００７０】
貨幣処理装置１はさらに、警告部３０８を備えている。警告部３０８も、制御部３００に接続されており、制御部３００は、警告部３０８の動作を制御する。警告部３０８は、警告音や音声を発するよう構成されており、出力部の一例である。
【００７１】
紙幣処理機１０には、紙幣の通過を検知するセンサや、紙幣の残留を検知するセンサを少なくとも含む、紙幣検知用のセンサ３０９が、所定の箇所に配設されている。また、紙幣処理機１０には、各部位を開けたり、移動したりすることを検知するセンサ（又はスイッチ）３０９が、所定の箇所に配設されている。多数のセンサ３０９はそれぞれ、制御部３００に接続されており、各センサ３０９は検知信号を制御部３００に出力する。これらのセンサ３０９は、後述するように、紙幣の処理中に、エラーが発生したことを検知するエラー検知部、及び／又は、エラーの解除操作を操作者が行っているときに、誤操作が行われたことを検知する誤操作検知部を構成している。
【００７２】
貨幣処理システム１００は、前述した貨幣処理装置１と、貨幣処理装置１に接続される管理コンピュータ４００と、管理コンピュータ４００に接続される、例えばＰＣ４０１等の端末と、タブレット端末４０２及びスマートフォン４０３等の携帯端末と備えて構成されている。
【００７３】
管理コンピュータ４００は、貨幣処理装置１が設置されている金融機関におけるシステムの管理を行うよう構成されている。管理コンピュータ４００は、例えば汎用のコンピュータによって構成されている。貨幣処理装置１と管理コンピュータ４００とは、有線又は無線の通信線４０４を介して、互いに接続されている。貨幣処理装置１と管理コンピュータ４００とは相互に通信が可能である。貨幣処理装置１は、取引及び業務に関する情報を、管理コンピュータ４００に、通信線４０４を介して出力する。
【００７４】
管理コンピュータ４００と、ＰＣ４０１、タブレット端末４０２、及び、スマートフォン４０３とは、有線又は無線の通信線４０５を介して、互いに接続されている。管理コンピュータ４００と各端末４０１、４０２、４０３とは通信が可能である。管理コンピュータ４００は、各種の情報を、通信線４０５を介して、ＰＣ４０１、タブレット端末４０２、及び、スマートフォン４０３に出力する。
【００７５】
管理コンピュータ４００、ＰＣ４０１、タブレット端末４０２、及び、スマートフォン４０３はそれぞれ、貨幣処理装置１に対する外部装置の一例である。
【００７６】
（エラー解除に関する制御）
貨幣処理装置１において貨幣の処理を行っているときに、貨幣の詰まりや、貨幣の残留等のエラーが発生する場合がある。制御部３００は、センサ３０９の検知信号に基づいてエラーが発生したか否かを判定する。制御部３００は、エラーが発生したときには、貨幣処理装置１の動作を停止すると共に、エラーが発生した旨、及び、エラーの解除を促す旨を操作表示部３０２に表示する。エラーの解除は、操作者が行う。
【００７７】
操作者は、予め定められた手順に従って、エラーを解除する。制御部３００のエラー解除制御部３０１は、エラー解除データベース３１１に基づいて操作者のエラーの解除操作をアシストする。
【００７８】
図４は、エラー解除データベース３１１の構成を例示している。貨幣処理装置１におけるエラーは、エラーの発生した箇所毎に複数種類のエラーに分類されると共に、エラーの内容によって複数種類のエラーに分類される。エラー解除データベース３１１は、エラー毎にエラーコードを割り当てて記憶していると共に、エラーコード毎に、エラー解除の手順を記憶している。
【００７９】
エラー解除の手順は、複数のステップを含んでいる。図４の例において、エラーコードＥ０００１のエラーは、紙幣処理機１０のバラ搬送ユニットの搬送路Ａにおいて、紙幣のジャムが発生したことである。その解除の手順は、６つのステップを含んでいる。また、エラーコードＥ００１０のエラーは、硬貨処理機１１０のバラ入金部の繰出円盤において、硬貨の残留が発生したことである。その解除の手順も、６つのステップを含んでいる。
【００８０】
エラー解除制御部３０１は、エラー解除の操作を示す案内画面を、操作表示部３０２に、解除操作に進行に合わせて順次表示する。前述の通り、エラーコードＥ０００１のエラーは、６つのステップを含んでいるが、エラー解除データベース３１１は、各ステップに対応する案内画面（つまり、「イメージ図」の、「イメージ１」、「イメージ２」…）が記憶されている。
【００８１】
エラー解除制御部３０１は、操作者が、各ステップの操作を実行したか否かを、センサ３０９の検知信号に基づいて判定する。エラー解除制御部３０１は、各ステップに対応するセンサ３０９の検知信号を受けたときに、当該ステップの操作が完了したと判定をし、次のステップに対応する案内画面を、操作表示部３０２に表示する。操作者は、操作表示部３０２に表示される案内画面に従って操作を行えば、エラーをスムースに解除することが可能である。
【００８２】
ここで、エラー解除データベース３１１は、エラー解除の操作を案内するための音声メッセージを記憶していてもよい。音声メッセージは、各案内画面に対応して記憶してもよい。エラー解除制御部３０１は、案内画面を、操作表示部３０２に表示するタイミングで、当該案内画面に対応する音声メッセージを出力してもよい。尚、案内画面の表示にあわせて音声メッセージを出力するか否かを、切り替え可能にしてもよい。
【００８３】
また、エラー解除データベース３１１は、案内画面と音声メッセージとの両方を記憶していてもよいが、音声メッセージのみを記憶していてもよい。
【００８４】
さらに、エラー解除制御部３０１は、エラー解除の操作を行う操作者に応じて、エラーの解除操作をアシストする態様を変更してもよい。例えば認証部３０７による認証結果に基づき、エラーの解除操作を行う操作者が経験の浅い初心者であるときには、エラー解除制御部３０１は、エラー解除データベース３１１に記憶されている全ての案内画面を、操作の進行に合わせて順次表示する一方、エラーの解除操作を行う操作者が経験の豊富な熟練者であるときには、エラー解除制御部３０１は、エラー解除データベース３１１に記憶されている案内画面の内、重要な案内画面のみを、操作の進行に合わせて表示してもよい。また、初心者と熟練者とで、表示する案内画面の数を増減する以外にも、初心者用の案内画面と熟練者用の案内画面とのそれぞれを、エラー解除データベース３１１に、予め記憶しておき、初心者と熟練者とで案内画面の内容を変更してもよい。
【００８５】
図５は、エラー解除制御部３０１が実行する、エラー解除に係る制御のフローチャートを示している。エラー解除制御部３０１は、操作者がエラーの解除操作を行っているときに、センサ３０９の検知信号に基づいて、エラー解除データベース３１１に記憶されている手順とは異なる誤操作が行われたことを検知する。エラー解除制御部３０１は、誤操作が行われたときには操作者に対し警告を行うことにより、操作者が、誤った操作のままでエラーの解除操作を進めてしまうことを防止する。ここで、エラー解除の誤操作の例を、図６及び図７を参照しながら説明する。
【００８６】
図６は、帯封部４２において帯封処理を行っている最中に、当該帯封部４２において紙幣のジャムが発生したとき（ステップＳ６１）の、エラー解除の流れを示している。このエラーを解除するためには、ステップＳ６２に示すように、帯封部４２においてジャム紙幣を取り出す。これにより、エラーの解除が完了する（ステップＳ６３）。
【００８７】
これに対し、帯封部４２においてジャム紙幣を取り出した後、操作者が、帯封部４２に隣接する集積部４０（図２参照）の紙幣を抜き取ってしまうことがある（ステップＳ６４）。この操作は、誤操作である。その後、エラーの解除が完了しても（ステップＳ６５）、集積部４０から抜き取った紙幣（つまり、機内現金）が操作者の手元に残ってしまう（ステップＳ６６）。このような誤操作は、違算を招く。
【００８８】
図７は、出金処理中に、特定の収納部において紙幣のジャムが発生したとき（ステップＳ７１）の、エラー解除の流れを示している。操作者は、ジャムが発生した収納部からジャム紙幣を取り出し（ステップＳ７２）、それによって、エラーの解除が完了する（ステップＳ７３）。収納部付近のジャム紙幣を取り出したときには、当該収納部の在高を確定するための精査処理が必要となる。従って、この例では、ジャム紙幣を取り出した１つの収納部に対して、精査処理が実行される。尚、精査処理とは、収納部内の貨幣を繰り出して識別することによって収納部の在高を確認した後、収納部へ戻す処理である。更に、識別することによって取得された在高情報と、本来収納されているはずの在高情報を照合する処理まで含む場合もある。
【００８９】
これに対し、特定の収納部のジャム紙幣を取り出した後、操作者が、他の収納部において紙幣を抜き取ってしまうことがある（ステップＳ７５）。この操作は、誤操作である。この場合も、ステップＳ７６においてエラーの解除が完了した後に精査処理を行うが、ジャム紙幣を取り出した特定の収納部に加えて、紙幣を抜き取った収納部の精査処理も実行しなければならない。誤操作を行うことによって、本来は、精査処理が不要な収納部の精査処理が必要になってしまい、精査処理に要する時間が長くなってしまう。
【００９０】
また、操作者が、ジャム紙幣が発生した特定の収納部からジャム紙幣を取り出さずに、他の収納部から紙幣を抜き取ってしまう誤操作（ステップＳ７８）も起こり得る。この場合は、ジャム紙幣が取り出されないため、エラーを解除することができない（ステップＳ７９）。
【００９１】
エラー解除制御部３０１は、センサ３０９の検知信号に基づいて誤操作を検知したときに、警告を行うことにより、操作者に対し誤操作があったことを知らせる。
【００９２】
図５のフローは、貨幣処理装置１が貨幣の処理を開始することによってスタートする。スタート後のステップＳ５１において、エラー解除制御部３０１は、センサ３０９の検知信号に基づいて、エラーを検出したか否かを判定する。ステップＳ５１の判定がＮＯのときには、ステップＳ５１が繰り返される。ステップＳ５１の判定がＹＥＳのときには、ステップＳ５２に進む。
【００９３】
ステップＳ５２において、エラー解除制御部３０１は、発生したエラーの内容を特定すると共に、エラー解除データベース３１１を参照することにより、発生したエラーを解除するための手順を特定する。
【００９４】
ステップＳ５３において、エラー解除制御部３０１は、エラー解除データベース３１１に記憶されている案内画面を、操作表示部３０２に表示する。例えば図８は、紙幣処理機１０の中間ユニットを、筐体１２から引き出す操作に係る案内画面Ｄ１を例示している。
【００９５】
次のステップＳ５４において、エラー解除制御部３０１は、センサ３０９の検知信号に基づいて、操作者が、エラー解除操作を行ったか否かを判定する。ステップＳ５４の判定がＮＯのときには、ステップＳ５４が繰り返される。ステップＳ５４の判定がＹＥＳのときには、ステップＳ５５に進む。
【００９６】
ステップＳ５５において、エラー解除制御部３０１は、操作者が正しい操作を行ったか否かを判定する。エラー解除制御部３０１は、正しい操作であるか誤った操作であるかを、センサ３０９の検知信号に基づいて判定する。正しい操作を行ったときには、ステップＳ５６に進む。誤った操作を行った時には、ステップＳ５９に進む。具体的には、正しい操作が、中間ユニットを筐体から引き出す操作である場合、中間ユニットの引出しを検知するセンサから検知信号を取得すると、エラー解除制御部３０１は、正しい操作が行われたと判定する。一方、例えば引出ユニット１３の引出しを検知するセンサから検知信号を取得すると、エラー解除制御部３０１は、誤った操作が行われたと判定する。
【００９７】
ステップＳ５６において、エラー解除制御部３０１は、エラー解除データベース３１１の情報に基づいて、エラー解除のための次の手順があるか否かを判定する。次の手順があるときには、ステップＳ５３に進む。エラー解除制御部３０１は、次の案内画面を操作表示部３０２に表示する。例えば図９は、帯封部４２からジャム紙幣を取り出す操作に係る案内画面Ｄ２を例示している。また、図１０は、ジャム紙幣を取り出した後、中間ユニットを、筐体１２に押し込む操作に係る案内画面Ｄ３を例示している。操作者が、エラー解除の操作を進めることに伴い、操作表示部３０２は、案内画面Ｄ１、Ｄ２及びＤ３を、順次表示する。
【００９８】
ステップＳ５６において次の手順がないときには、ステップＳ５７に進む。ステップＳ５７において、エラー解除制御部３０１は、エラーが解除されたか否かを判定する。貨幣処理装置１が予め設定されているイニシャル動作を行うことによって、エラーが解除されたか否かを判定することができる。エラーが解除されていないときには、ステップＳ５２に戻る。エラーが解除されたときには、ステップＳ５８に進む。
【００９９】
操作者がエラー解除の操作を行っているときに、誤操作があったときには、ステップＳ５５からステップＳ５９に進む。ステップＳ５９において、エラー解除制御部３０１は、警告を出力する。
【０１００】
具体的に、エラー解除制御部３０１は、ステップＳ５９において、操作表示部３０２に、警告画面を表示するようにしてもよい。例えば図１１は警告画面Ｄ４の一例である。ここでは、図９に示す帯封部４２からジャム紙幣を取り出す操作に係る案内画面Ｄ２が表示されているときに、操作者が、帯封部４２に隣接する集積部４０内に手を入れて紙幣を取り出そうとした（又は取り出した）ことを、センサ３０９が検知したときの警告画面Ｄ４を例示している。警告画面Ｄ４は、警告メッセージをポップアップ表示している。誤操作があったときに、このような警告が行われることにより、操作者は、誤操作があったことがわかり、誤った操作を進めてしまうことを防止することができる。
【０１０１】
また、図１２は、案内画面Ｄ５の一例である。この案内画面Ｄ５は、金種別バラ紙幣収納部３４の１つである、「万円収納庫」のジャム紙幣を取り除くために、金種別バラ紙幣収納部３４を開ける操作に係る案内画面である。図１３は、警告画面Ｄ６の一例である。ここでは、図１２に示す案内画面Ｄ５が表示されているときに、操作者が、「万円収納庫」ではなく、「千円収納庫」を誤って開けたことを、センサ３０９が検知したときの警告画面Ｄ６を例示している。警告画面Ｄ６は、警告メッセージをポップアップ表示していると共に、この警告画面Ｄ６は、誤操作を復旧するための操作（つまり、千円収納庫を閉める操作）を表示している。誤操作があったときに、このような警告が行われることにより、操作者は、誤操作があったことがわかり、誤った操作から復旧することができる。
【０１０２】
また、エラー解除制御部３０１は、ステップＳ５９において、警告部３０８を通じて、警告音又は音声を発するようにしてもよい。音による警告を行うことによって、操作者は、操作表示部３０２を目視していない場合であっても、誤操作があったことがわかり、誤った操作を進めてしまうことを防止することができる。
【０１０３】
さらに、エラー解除制御部３０１は、ステップＳ５９において、通信インターフェース部３０６を通じて、管理コンピュータ４００、ＰＣ４０１、タブレット端末４０２、及び／又は、スマートフォン４０３に、貨幣処理装置１において誤操作があった旨を通知してもよい。こうすることによって、外部装置を使用する、例えば出納係等の管理者に、誤操作があったことを通知することができる。通知を行う外部装置は、警告設定情報３１２に予め設定しておけばよい。エラー解除の操作を行う操作者と、当該操作者が誤操作したときに通知を行う外部装置とを対応付けて、警告設定情報３１２に設定してもよい。
【０１０４】
エラー解除制御部３０１は、操作表示部３０２に警告画面を表示すること、警告部３０８を通じて音を発すること、及び、外部装置に通知をすることのうちの、いずれか１つ、又は、２つ以上を組み合わせて警告を行ってもよい。
【０１０５】
エラー解除制御部３０１は、記憶部３１０の警告設定情報３１２に予め設定した出力態様に応じて、ステップＳ５９における警告を行ってもよい。
【０１０６】
例えば、エラーの解除操作を行う操作者に応じて、警告の出力態様を変更してもよい。経験の浅い操作者（初心者）に対しては、軽微な誤操作であっても、当該誤操作があったことを警告する。こうすることで、経験の浅い操作者が重大な誤操作をしてしまうことを未然に回避することができる。経験の浅い操作者は、エラーの解除操作を適切に進行することが可能になる。
【０１０７】
これに対し、経験が豊富な操作者（熟練者）に対しては、軽微な誤操作は、自らが直ぐに気づいて復旧可能と考えられるため、当該誤操作があったことは警告せず、重大な誤操作（例えば、貨幣処理装置１の在高異常を招く誤操作や、貨幣処理装置１の破損を招く誤操作等）があったときに限り、当該誤操作があったことを警告する。こうすることで、経験が豊富な操作者は、エラーの解除操作をスムースに進めることができると共に、適切にエラーの解除操作を行うことができる。
【０１０８】
また、例えば通常の操作者に対しては、操作表示部３０２に警告画面を表示すると共に、警告部３０８を通じて音を発するのに対し、例えば研修中の操作者は、操作表示部３０２に警告画面を表示すると共に、警告部３０８を通じて音を発することに加えて、当該操作者の指導者が使用する外部装置に、誤操作があったことを通知してもよい。尚、通知先の外部装置の情報は、前述したように、研修中の操作者を特定する情報に紐付けて、警告設定情報３１２に、予め設定しておけばよい。
【０１０９】
また、警告の出力態様を、誤操作のレベルに応じて変更するようにしてもよい。例えば、誤操作からの復旧を直ぐに行うことが可能な、軽微な誤操作が検知されたときには、操作表示部３０２に警告画面を表示することのみにする一方、違算が発生する恐れがある重大な誤操作が検知されたときには、操作表示部３０２に警告画面を表示すること、警告部３０８によって警告音を発することに加えて、外部装置への通知を行うようにしてもよい。
【０１１０】
ステップＳ５９に続くステップＳ５１０において、エラー解除制御部３０１は、異常対応処理を実行する。異常対応処理の１つは、誤操作からの復旧である。エラー解除制御部３０１は、操作者に対して、誤操作から復旧するための操作を行うように誘導してもよい。具体的に、制御部は、操作表示部３０２に、「誤ってレバーＤが操作されました。レバーＤを閉じて、レバーＥを操作してください」等の表示を行ってもよい。また、前述したように、図１３に示す警告画面Ｄ６を表示することも、操作者に、誤操作からの復旧を促すことができる。操作者は、正しい復旧操作を行うことができる。
【０１１１】
エラー解除制御部３０１は、センサ３０９の検知信号に基づいて、誤操作から復旧したか否かを判断する。操作者が、正しい復旧操作を行うことによって、エラー解除の操作を再開することができる場合、フローは、ステップＳ５３に戻る。エラー解除制御部３０１は、操作者がエラーの解除操作を行うことを許容する。
【０１１２】
一方、誤操作の内容によっては、所定の権限を有する管理者が誤操作の対応をすべきこともある。例えば、開ける必要がない収納部を開けてしまう誤操作は、店舗の出納係が対応をすべきである。エラー解除制御部３０１は、誤操作の内容によっては、権限を有しない操作者がエラーの解除操作を継続することを禁止し、管理者に通知する。この場合、図５のフローは、そのまま終了する。
【０１１３】
ステップＳ５７でエラーが解除した後のステップＳ５８において、エラー解除制御部３０１は、警告が必要か否かを判定する。例えば図６のステップＳ６４のように、集積部４０の紙幣を抜き取ってしまった場合や、図７のステップＳ７５のように、他の収納部の紙幣を抜き取ってしまった場合等には、エラーの解除後の警告が必要であると判断して、ステップＳ５９に進む。
【０１１４】
ステップＳ５９では、前述の通り、警告を出力し、続くステップＳ５１０で、異常対応処理を行う。例えば集積部４０の紙幣を抜き取ってしまった場合は、抜き取った紙幣を投入し直すようにする。また、他の収納部の紙幣を抜き取ってしまった場合は、当該収納部の精査処理を行う。
【０１１５】
図１４は、エラー解除が完了した後に表示される警告画面Ｄ７を例示している。ここでは、精査処理の実行を、操作者に促すメッセージが表示されている。この警告画面Ｄ７には、精査処理を開始するためのボタンがあり、操作者がボタンを操作すると、貨幣処理装置１は、精査対象の収納部について、精査処理を開始する。このように、エラー解除制御部３０１は、精査処理への誘導処理を実行する。このことによって、スムースに精査処理に移行をすることができる。
【０１１６】
尚、精査処理への誘導は、図１４に示すようなポップアップ表示に限らず、精査処理を開始するためのアイコンを操作表示部３０２に表示してもよい。また、図１４に示す警告画面Ｄ７にボタンを設けるのではなく、エラー解除が完了した後に、精査処理を自動的に開始するようにしてもよい。
【０１１７】
このように、貨幣処理装置１は、操作車がエラー解除の操作を行っているときに、誤操作が行われたことを検知すると共に、誤操作が行われたときには警告を出力する。これにより、エラーの解除操作が行われるときに、誤った操作が行われること、及び、誤った操作のままで操作が進むことが、それぞれ防止される。
【０１１８】
尚、エラー解除制御部３０１は、誤操作があったときに、当該情報（つまり、誤操作ログ情報）を、エラー解除データベース３１１に記憶するようにしてもよい。こうすることで、記憶している誤操作の情報を解析することができるようになる。解析の結果、発生頻度が高い誤操作に対して、対策を施すことが可能になる。例えば案内画面の内容を修正することによって、誤操作を招かないようにすることができる。
【０１１９】
また、エラー解除制御部３０１は、誤操作ログ情報を記憶するときに、誤操作をした操作者の情報と対応付けて、誤操作ログ情報を記憶してもよい。こうすることで、例えば誤操作の多い操作者を特定することが可能になる。管理者は、誤操作の多い操作者に対して、指導等を行うことによって改善が期待できる。
【０１２０】
尚、前記の説明では主に、紙幣処理機１０を例に、ここに開示する技術を説明したが、硬貨処理機１１０についても同様に、ここに開示する技術を適用することができる。また、貨幣処理装置１に限らず、ここに開示する技術は、小切手や手形、又は、商品券等の有価媒体を処理する装置に広く適用することができる。
【０１２１】
図１５は、有価媒体処理システムの別の構成例を示している。この有価媒体処理システム５０は、有価媒体処理装置としての紙幣釣銭機５１及び硬貨釣銭機５２と、ＰＯＳレジスタ５３とによって構成されている。この有価媒体処理システム５０は、スーパーマーケット、コンビニエンスストア、ショッピングモール、百貨店等の様々な場所において構築される。
【０１２２】
紙幣釣銭機５１は、詳細な構成の図示は省略するが、紙幣の入金処理、出金処理、精査処理、及び回収処理等を実行することが可能に構成されている。同様に、硬貨釣銭機５２は、硬貨の入金処理、出金処理、精査処理、及び回収処理等を実行することが可能に構成されている。
【０１２３】
ＰＯＳレジスタ５３は、紙幣釣銭機５１及び硬貨釣銭機５２に対して接続されており、商品の購入情報を登録すると共に、紙幣釣銭機５１及び硬貨釣銭機５２に指令を出力することによって、紙幣釣銭機５１及び／又は硬貨釣銭機５２に、入金処理、出金処理、精査処理、及び回収処理等を実行させる。ＰＯＳレジスタ５３はまた、ＰＯＳ操作表示部５３１を有している。ＰＯＳ操作表示部５３１に様々な情報が表示されると共に、操作者は、ＰＯＳ操作表示部５３１を通じて、様々な操作をすることができる。
【０１２４】
紙幣釣銭機５１及び／又は硬貨釣銭機５２においてエラーが発生したときに、エラーの解除操作に係る案内画面は、ＰＯＳ操作表示部５３１に表示してもよい。ＰＯＳ操作表示部５３１は、画面のサイズが比較的大きいため、案内画面の表示に適している。
【０１２５】
また、エラーを解除する操作時に、誤操作があったときには、ＰＯＳ操作表示部５３１に警告画面を表示してもよい。こうすることで操作者は、誤操作があったことがわかり、誤った操作を進めてしまうことが防止される。また、誤操作があったときに、警告音又は音声を発したり、外部装置（ＰＯＳレジスタの管理コンピュータ、その他のＰＣ、タブレット端末、又はスマートフォン）に通知を行ったりしてもよい。
【０１２６】
前記の説明では、操作者に応じて警告の出力態様を変更したり、誤操作のレベルに応じて警告の出力態様を変更したりしているが、さらに、貨幣処理装置の設置環境に応じて、警告の出力態様を変更してもよい。
【０１２７】
例えばＰＯＳレジスタ５３が、近くに顧客がいる場所に設置される場合、警告音が発せられると、顧客が不安を感じたり、不快に感じたりする恐れがある。そこで、ＰＯＳレジスタ５３が、近くに顧客がいる場所に設置される場合は、警告音を発せず、ＰＯＳレジスタ５３が、近くに顧客がいない場所に設置される場合は、警告音を発するように、出力態様を変更してもよい。
【０１２８】
また、金融機関に設置される貨幣処理装置についても、図１に示す出納機は、顧客から離れた場所に設置されるため、警告音を発する一方、例えば顧客が操作を行うＡＴＭや、金融機関の窓口に設置されるオートキャッシャーは、顧客の近くに設置されるため、警告音を発しないようにしてもよい。
【０１２９】
貨幣処理装置の設置環境に応じた警告の出力態様を変更設定も、例えば警告設定情報３１２に、予め設定しておけばよい。
【符号の説明】
【０１３０】
１  貨幣処理装置
１０  紙幣処理機（処理部）
１００  貨幣処理システム
１１０  硬貨処理機（処理部）
３０１  エラー解除制御部（制御部）
３０６  通信インターフェース部（出力部、通信部）
３０８  警告部（出力部）
３０９  センサ（エラー検知部、誤操作検知部）
３１１  エラー解除データベース（記憶部）
３０２  操作表示部（出力部、表示部）
４００  管理コンピュータ（外部装置）
４０１  ＰＣ（外部装置）
４０２  タブレット端末（外部装置）
４０３  スマートフォン（外部装置）
【図１】
2018116327.tif 000003
【図２】
2018116327.tif 000004
【図３】
2018116327.tif 000005
【図４】
2018116327.tif 000006
【図５】
2018116327.tif 000007
【図６】
2018116327.tif 000008
【図７】
2018116327.tif 000009
【図８】
2018116327.tif 000010
【図９】
2018116327.tif 000011
【図１０】
2018116327.tif 000012
【図１１】
2018116327.tif 000013
【図１２】
2018116327.tif 000014
【図１３】
2018116327.tif 000015
【図１４】
2018116327.tif 000016
【図１５】
2018116327.tif 000017